(57)【要約】【課題】作物主部を切断対象とした切断作業を行うことのできる根菜収穫機を提供する。【解決手段】作物を抜き取り斜め後方上方へ向けて作物を搬送する抜き取り搬送装置４１と、作物を抜き取り搬送装置４１の下方位置で切断するカッター４３と、カッター４３での切断位置に作物の切断予定箇所を合致させるように、上下方向における作物の高さ位置を調節しながら後方搬送してカッター４３に作物を送り込む位置決め用のガイドベルト４２と、切断位置よりも下方で、かつ切断対象の作物Ａの葉部Ａ１よりも下方の作物主部Ａ２を把持して搬送する姿勢保持ベルト４４と、が備えられている。【選択図】図４
2020141568.tif 000002
【特許請求の範囲】
【請求項１】
圃場の作物の葉部を把持して抜き取り、かつ斜め後方上方へ向けて作物を搬送する抜き取り搬送装置と、
前記抜き取り搬送装置によって搬送されてきた作物を、前記抜き取り搬送装置の下方位置で切断するカッターと、
前記抜き取り搬送装置の搬送経路の下側で作物の葉部を把持し、前記カッターでの切断位置に作物の切断予定箇所を合致させるように、上下方向における作物の高さ位置を調節しながら後方搬送して前記カッターに作物を送り込む位置決め用のガイドベルトと、
前記切断位置よりも下方で、かつ切断対象の作物の葉部よりも下方の作物主部を把持して搬送する姿勢保持ベルトと、が備えられている根菜収穫機。
【請求項２】
前記姿勢保持ベルトは、作物を把持して搬送する際の搬送速度が、前記ガイドベルトによる搬送速度よりも速く設定されている請求項１記載の根菜収穫機。
【請求項３】
前記姿勢保持ベルトは、側面視で前記ガイドベルトとほぼ平行な搬送経路を備えて配設され、前記ガイドベルトに接触する出力プーリからの動力が前記姿勢保持ベルトに伝達されるように構成されている請求項１又は２記載の根菜収穫機。
【請求項４】
前記カッターは、作物の葉部と作物主部との境界よりも作物主部側を切断する位置に設けられている請求項１〜３のいずれか一項記載の根菜収穫機。
【発明の詳細な説明】
【技術分野】
【０００１】
本発明は、走行しながら圃場の作物を抜き取って後方搬送し、カッターで作物の切断予定箇所を切断して収穫する根菜収穫機に関する。
【背景技術】
【０００２】
この種の根菜収穫機では、引き抜いた作物を後方上方へ向けて搬送している。後方上方へ持ち上げる搬送無端体の途中から位置決め搬送体で茎葉を持ち直して、根菜の付け根が引き上げられ、位置決め搬送体に接触する状態に作物の上下方向位置が揃えられる。そして、揃えられた作物を茎部搬送体や根部搬送体で後方搬送して、作物の葉部をカッターで切断するようにしている（特許文献１参照）。
【先行技術文献】
【特許文献】
【０００３】
【特許文献１】特開平１１−２４３７４１号公報（段落番号「００２６」、図６参照）
【発明の概要】
【発明が解決しようとする課題】
【０００４】
上記の特許文献１に記載の構成のものでは、引き抜いた作物の葉部を所定の上下方向高さ位置で精度良く切断し易い点では有用なものである。
この構造では、カッターの上下両側で作物の葉部を挟持した状態で葉部が切断されるものであるため、カッターの下側に位置する根部搬送体の上下方向幅よりも、切断後の葉部長さを短くすることはできないものであった。
また、葉部を挟持した状態で葉部が切断されるものであるため、作物主部を切断対象とすることはできないものであった。
【０００５】
本発明は、作物葉部の切断長さを極力短くする、あるいは、作物主部を切断対象とした切断作業を行うことのできる根菜収穫機を提供しようとするものである。
【課題を解決するための手段】
【０００６】
本発明に係る根菜収穫機の特徴構成は、圃場の作物の葉部を把持して抜き取り、かつ斜め後方上方へ向けて作物を搬送する抜き取り搬送装置と、前記抜き取り搬送装置によって搬送されてきた作物を、前記抜き取り搬送装置の下方位置で切断するカッターと、前記抜き取り搬送装置の搬送経路の下側で作物の葉部を把持し、前記カッターでの切断位置に作物の切断予定箇所を合致させるように、上下方向における作物の高さ位置を調節しながら後方搬送して前記カッターに作物を送り込む位置決め用のガイドベルトと、前記切断位置よりも下方で、かつ切断対象の作物の葉部よりも下方の作物主部を把持して搬送する姿勢保持ベルトと、が備えられている点にある。
【０００７】
本発明によれば、位置決め用のガイドベルトを用いるとともに、切断位置よりも下方で、かつ切断対象の作物の葉部よりも下方の作物主部を把持して搬送する姿勢保持ベルトを備えているので、作物葉部の切断長さを極力短くする、あるいは、作物主部を切断対象とした切断作業を行うことができる。
つまり、姿勢保持ベルトを用いて作物主部を把持した状態で作物の切断が行われるので、切断時における作物の姿勢を安定させて、作物主部を所定切断位置で安定良く切断し易い。そして、葉部を切断対象とした場合にも、切断位置よりも下方で葉部を把持する必要がないので、葉部を極力短く、もしくは全くない状態に切断することも可能である。
このように、切断形態を多様化し得る等の利点もある。
【０００８】
本発明において、前記姿勢保持ベルトは、作物を把持して搬送する際の搬送速度が、前記ガイドベルトによる搬送速度よりも速く設定されていると好適である。
【０００９】
本構成によると、作物を把持して搬送する際の姿勢保持ベルトの搬送速度が、ガイドベルトによる搬送速度よりも速く設定されているので、ガイドベルトに吊り持ちされた作物の下部を、上部側よりも少し速くして、作物姿勢をガイドベルトに直交した姿勢に近い状態とし易い。したがって、カッターによる切断が、作物に直交する姿勢で綺麗に行われ易くなり、商品価値の向上にもつなげやすくなる。
【００１０】
本発明において、前記姿勢保持ベルトは、側面視で前記ガイドベルトとほぼ平行な搬送経路を備えて配設され、前記ガイドベルトに接触する出力プーリからの動力が前記姿勢保持ベルトに伝達されるように構成されていると好適である。
【００１１】
本構成によると、側面視でガイドベルトとほぼ平行な搬送経路を備えるように姿勢保持ベルトを配設し、かつガイドベルトに接触する出力プーリを用いることで、ガイドプーリ側から姿勢保持ベルトへの駆動力を取り出すようにしている。これによって、姿勢保持ベルトに対する動力伝達構造を簡素化し得る。
【００１２】
本発明において、前記カッターは、作物の葉部と作物主部との境界よりも作物主部側を切断する位置に設けられていると好適である。
【００１３】
本構成によると、作物の作物主部を切断対象とすることができる。したがって、葉部を除去した収穫物を得たい場合に有用に用いることができる。
【図面の簡単な説明】
【００１４】
【図１】大根収穫機の側面図である。
【図２】大根収穫機の平面図である。
【図３】搬送装置の支持構造を示す断面図である。
【図４】作物搬送装置の後部付近を示す側面図である。
【図５】ガイドベルトを示す説明図である。
【図６】姿勢保持ベルトを示す説明図である。
【発明を実施するための形態】
【００１５】
以下、本発明の実施の形態を図面の記載に基づいて説明する。
尚、本実施形態での説明における前後方向及び左右方向は、特段の説明がない限り、次のように記載している。つまり、本発明を適用した根菜収穫機の作業走行時における前進側の進行方向（図１及び図２における矢印Ｆ参照）が「前」、後進側への進行方向（図１及び２における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。図１における矢印Ｕは根菜収穫機の「上」、矢印Ｄは「下」を示している。
【００１６】
〔全体構成〕
図１及び図２に本発明に係る根菜収穫機の一例として大根収穫機が示されている。大根収穫機は、右及び左のクローラ型式の走行装置２により、機体１が支持されており、機体１の右前部に運転部３が支持され、機体１の左部に、収穫対象の作物を抜き取って搬送する作物搬送装置４が前後方向に沿って支持されている。作物搬送装置４の前部に、抜き取り対象の作物の茎葉を条列に沿って左右に分離させるための分離装置５が支持されている。作物搬送装置４の前端下部に、圃場に接地して作物搬送装置４や分離装置５の対地高さを所定高さに保つための補助車輪６と、地中に突入して作物の抜き取りを行い易くするためのサブソイラ１７と、が支持されている。
収穫対象の大根Ａ（作物に相当する）は、葉Ａ１（葉部に相当する）と、茎及び根で構成される身Ａ２（作物主部に相当する）と、を備える。
【００１７】
作物搬送装置４の後部における下側位置には、作物搬送装置４が備えられた側の左右方向での端部から、反対側の端部へ向けて、作物搬送装置４の後部から落下供給される作物を搬送するための搬送コンベア７が左右方向に沿って支持されている。その搬送コンベア７の後方に、補助の作業者の為の作業デッキ９が備えられている。そして、作業デッキ９の後方の機体後部に貯留部８が支持されている。つまり、作業デッキ９が搬送コンベア７と貯留部８との間に設けられ、作業デッキ９に立つ補助作業者が前方の搬送コンベア７上を流れる作物を、後方の貯留部８へ積み込むことができるようになっている。
【００１８】
機体１の上部に屋根１０が支持されている。屋根１０は、前後方向で運転部３から貯留部８に亘り、左右方向で運転部３から作物搬送装置４に亘っている。
運転部３の下方側にエンジン（図外）が備えられている。エンジンの動力が、走行装置２、作物搬送装置４、分離装置５、搬送コンベア７等に伝達されて、走行しながら収穫作業を行うように構成されている。従って、作物搬送装置４、分離装置５、搬送コンベア７等により作業装置Ｓが構成されている。
【００１９】
〔作物搬送装置の構成〕
図１，３に示すように、作物搬送装置４は、前部が圃場の近傍の低位置で、後部が搬送コンベア７の上側の高位置に位置するように、全体が後上がり状（前下がり状）に支持された挟持搬送ベルト４１（抜き取り搬送装置に相当する）を備えて、抜き取った作物を斜め後方上方へ搬送するように構成されている。挟持搬送ベルト４１は、機体１に支持された左右一対の支持フレーム４０によって支持されている。
そして、作物搬送装置４は、挟持搬送ベルト４１の後部で、かつ下方に離れた位置で作物を切断するカッター４３、カッター４３に作物を送り込む位置決め用のガイドベルト４２、及び、カッター４３での切断位置よりも下方で、かつ切断対象の作物の葉部よりも下方の作物主部を把持して搬送する姿勢保持ベルト４４を備えている。
【００２０】
右及び左の挟持搬送ベルト４１，４１は、右の支持フレーム４０に右の挟持搬送ベルト４１が支持され、左の挟持搬送ベルト４１に左の挟持搬送ベルト４１が支持される。左右の挟持搬送ベルト４１，４１同士の間に、作物の葉部を挟持する前後に長い搬送経路ｒ１が形成されている。
【００２１】
右及び左の支持フレーム４０の前部に亘って、アーチ状の横向きフレーム１６が連結され、右及び左の支持フレーム４０の後部は後部枠１１で連結されている。
支持フレーム４０の前端部及び後端部に、右及び左の回転体１５が支持され、前及び後の回転体１５に亘って挟持搬送ベルト４１が巻回されて、挟持搬送ベルト４１の全体が後上がり状（前下がり状）に支持されている。
【００２２】
ガイドベルト４２は、挟持搬送ベルト４１の前後方向での中間部の下側から後方に向けて設けられている。
このガイドベルト４２も、前端側よりも後端側が上位となる後上がり状に設けられているが、挟持搬送ベルト４１の後上がり傾斜角度よりも緩やかな傾斜角度となるように設けられている。
つまり、挟持搬送ベルト４１よりも下方に離れて位置するカッター４３での切断位置に作物の切断予定箇所を合致させるように、ガイドベルト４２を後方側ほど挟持搬送ベルト４１から離れるように位置させてある。カッター４３の切断位置は、作物の葉部と作物主部の境界よりも作物主部側を切断する位置に設定されている。
【００２３】
図５に示すように、ガイドベルト４２は、左右一対のガイド駆動プーリ４２ａ及び左右一対のガイド従動プーリ４２ｂに巻回され、左右のガイドベルト４２，４２の外周面同士の間に搬送経路ｒ２が形成されている。搬送経路ｒ２の両脇部分には、搬送経路ｒ２側へ弾性付勢された複数個のテンション輪４２ｃが、左右のガイドベルト４２，４２の内周側に設けられている。この複数個のテンション輪４２ｃによって、左右のガイドベルト４２，４２同士を互いに近接する方向へ弾性的に押圧付勢している。
【００２４】
カッター４３は、図１、図３、及び図４に示すように、支持フレーム４０に上端側を支持された伝動軸１２を介して駆動力が伝達されるガイド駆動プーリ４２ａの下側に取り付けられている。したがって、ガイド駆動プーリ４２ａの回転に伴ってガイドベルト４２と共に駆動回転される。
このカッター４３、及びガイド駆動プーリ４２ａは、図５に示されるように、左側（図中下側）のガイド駆動プーリ４２ａが時計回りに回転し、右側（図中上側）のガイド駆動プーリ４２ａが反時計回りに回転している。したがって、搬送経路ｒ２内に挟持されて搬送される作物を後方（矢印B方向）側へ引き込む方向に回転しながら切断する。
【００２５】
姿勢保持ベルト４４は、図１、図３、及び図４に示すように、ガイドベルト４２の下方で、かつカッター４３の切断位置よりも下方に設けられている。この姿勢保持ベルト４４により、作物の葉部から離れた下方位置で作物主部を把持して搬送する。
左右一対の姿勢保持ベルト４４のそれぞれは、図６に示すように、前側の駆動プーリ４４ａと後側の従動プーリ４４ｂに巻回され、左右の姿勢保持ベルト４４，４４の外周面同士の間に搬送経路ｒ３が形成されている。
【００２６】
姿勢保持ベルト４４の搬送経路ｒ３は、ガイドベルト４２の搬送経路ｒ２に対して、側面視でほぼ平行している。
そして、姿勢保持ベルト４４，４４の各駆動プーリ４４ａと、ガイドベルト４２，４２の内周側に接触するように設けた各出力プーリ４２ｄと、が伝動軸４５で一体回転可能に連結されている。これにより、出力プーリ４２ｄの回転に伴って駆動プーリ４４ａが回転駆動される。つまり、姿勢保持ベルト４４の搬送経路ｒ３とガイドベルト４２の搬送経路ｒ２とが、側面視でほぼ平行であり、かつ、出力プーリ４２ｄの回転軸心と駆動プーリ４４ａが回転軸心とが同一軸心線上に並ぶ状態で配設されているので、一本の伝動軸４５で出力プーリ４２ｄから駆動プーリ４４ａへ動力を伝達することができる。
【００２７】
このとき、駆動プーリ４４ａの回転径が出力プーリ４２ｄの回転径よりも少し大きく設定されているので、駆動プーリ４４ａの周速度は、出力プーリ４２ｄの周速度よりも少し速くなる。これによって、姿勢保持ベルト４４，４４の搬送速度もガイドベルト４２の搬送速度よりも少し速くなる。
このように姿勢保持ベルト４４，４４の搬送速度をガイドベルト４２の搬送速度よりも少し速くしているのは、図４に示すように、カッター４３で切断される時点の作物主部が、カッター４３の回転面にほぼ直交する姿勢で切断されるようにするためである。
つまり、姿勢保持ベルト４４，４４の搬送速度と、ガイドベルト４２の搬送速度と、の速度差は、自重による垂れ下がり姿勢で搬送される作物の作物主部の軸線を、カッター４３の回転面にほぼ直交する前倒れ姿勢に近づけるのに適した速度であるのが望ましい。
【００２８】
図６に示すように、姿勢保持ベルト４４の巻回範囲内には、姿勢保持ベルト４４の搬送経路ｒ３側へ弾性付勢された第一テンション輪４４ｃと、搬送経路ｒ３とは反対側へ弾性付勢された第二テンション輪４４ｄと、が配設されている。このうち、第二テンション輪４４ｄの弾性付勢力は、第一テンション輪４４ｃの弾性付勢力よりも弱く設定されている。
したがって、搬送経路ｒ３内を移動する作物主部は、第一テンション輪４４ｃの弾性付勢力から、逆向きの第二テンション輪４４ｄの弾性付勢力を差し引いた弾性付勢力が作用する姿勢保持ベルト４４で、弾性的に挟持されながらカッター４３による切断位置へ搬送される。
搬送経路ｒ３内を移動する作物主部との当接によって搬送経路ｒ３から遠ざかる側へ第一テンション輪４４ｃが後退したことによる姿勢保持ベルト４４の緩みは、搬送経路ｒ３とは反対側へ弾性付勢された第二テンション輪４４ｄの、搬送経路ｒ３とは反対側への移動によって吸収される。
【００２９】
〔分離装置の構成〕
図１，２に示すように、分離装置５は、多数の係止爪１８ａ，１９ａが間隔を置いて並ぶように一体的に形成された４組の分離ベルト１８，１９と、上下方向に配置された縦フレーム２０とを備えており、縦フレーム２０が支持フレーム４０の前部に支持されている。
【００３０】
分離ベルト１９の係止爪１９ａが左右方向に向くように、二組の分離ベルト１９が、左右方向に間隔を置いて縦フレーム２０に回転自在に支持されており、右及び左の挟持搬送ベルト４１の前部の前方において、右及び左の分離ベルト１９の係止爪１９ａが互いに対向する状態となっている。
【００３１】
分離ベルト１９の前方において、右及び左の分離ベルト１８が左右方向に間隔を置いて縦フレーム２０に回転自在に支持されており、分離ベルト１８の係止爪１８ａが前方を向いている。
【００３２】
〔搬送装置の支持構造〕
図１，２に示すように、機体１の左前部に、上リンク２２及び下リンク２３が上下に揺動自在に支持され、上リンク２２及び下リンク２３の前部に縦リンク２４が接続されて、四連リンクが構成されている。
【００３３】
上リンク２２及び下リンク２３の前部に、補助車輪６及びサブソイラ１７が支持されており、上リンク２２及び下リンク２３を上下に昇降させる油圧シリンダ２５が備えられている。
【００３４】
下リンク２３の前部の左右方向の軸芯Ｐ１周りに、支持リンク２６が揺動自在に支持され、支持リンク２６の上部の左右方向の軸芯Ｐ２周りに、支持リンク２７が揺動自在に支持されている。支持リンク２６，２７に亘って油圧シリンダ２８が接続されており、支持リンク２７の上部が、横向きフレーム１６の上部に揺動自在に接続されている。
【００３５】
機体１の左後部に縦向き支持体２９が上下向きに連結されており、筒状部材３０が縦向き支持体２９に沿って上下方向にスライド自在に支持され、筒状部材３０を上下にスライド駆動する油圧シリンダ３１が備えられている。筒状部材３０の上端部に、支持フレーム４０の後部が揺動自在に接続されている。
【００３６】
以上の構造により、油圧シリンダ３１により筒状部材３０を上下にスライドさせることによって、支持フレーム４０の後部の高さを変更することができる。この場合、上下方向のスライドに伴う支持フレーム４０の前後方向の変位は、支持リンク２６，２７が軸芯Ｐ１周りに前後に揺動することによって吸収される。
【００３７】
大根Ａの収穫において、例えば大根Ａの身Ａ２が長い場合、支持フレーム４０の後部の高さを少し高くすればよい。大根Ａの身Ａ２が短い場合、支持フレーム４０の後部の高さを少し低くすればよい。これにより、ガイドベルト４２の後端部と搬送コンベア７の上下間隔を、大根Ａの身Ａ２の長さに合わせることができる。
【００３８】
油圧シリンダ２８を伸長作動及び収縮作動させ、支持リンク２６，２７を屈伸させて、支持リンク２７の上部の位置を上下に変更することにより、支持フレーム４０及び挟持搬送ベルト４１の前部における対地高さを変更することができる。
【００３９】
〔屋根の揺動〕
図１，２に示すように、屋根１０において、作物搬送装置４の後部の上側に位置する屋根１０の左後部１０ａは、屋根１０の本体部分とは分離されている。
【００４０】
屋根１０の左後部１０ａは、屋根１０の前後方向の軸芯Ｐ４周りに上下に揺動自在に支持されており、屋根１０の左後部１０ａを上下に揺動駆動する電動シリンダ１３が備えられている。
【００４１】
前述したように、油圧シリンダ３１により支持フレーム４０の後部が昇降操作される場合、筒状部材３０が上下スライド範囲の中間部及び中間部から下側に位置していると、屋根１０の左後部１０ａは、屋根１０の本体部分と平行な姿勢となっている。
【００４２】
筒状部材３０が上下スライド範囲の中間部から上側に移動すると、図３に示すように、電動シリンダ１３により、屋根１０の左後部１０ａが自動的に上側に操作されるのであり、作物搬送装置４の後部と屋根１０の左後部１０ａとの接触が回避される。
【００４３】
〔分離装置の支持構造〕
図１，２に示すように、支持フレーム４０の前部に、支持リンク３２が上下に揺動自在に支持されており、支持リンク３２の前部が、縦フレーム２０の下部に揺動自在に接続されている。
【００４４】
機体１の左前部の左右方向の軸芯Ｐ３周りに、操作アーム３３が上下に揺動自在に支持されており、操作アーム３３の前部が、縦フレーム２０の上部に揺動自在に接続されている。油圧シリンダ３４が、下リンク２３と操作アーム３３とに亘って接続されている。
以上の構造により、油圧シリンダ３４により操作アーム３３を上下に揺動駆動することによって、分離装置５の圃場からの高さを変更することができる。
【００４５】
支持リンク２６，２７及び油圧シリンダ３４が、下リンク２３に支持されている。機体１の旋回時等において、油圧シリンダ２５により上リンク２２及び下リンク２３を昇降させると、作物搬送装置４の前部及び分離装置５が一緒に昇降する。
【００４６】
支持フレーム４０と縦フレーム２０とが、支持リンク３２を介して接続されている。油圧シリンダ２８により支持フレーム４０、及び挟持搬送ベルト４１の前部の圃場からの高さを変更しても、この動作が支持リンク３２に吸収されて、分離装置５の高さに変化は無い。
【００４７】
同様に、油圧シリンダ３４により分離装置５の圃場からの高さを変更しても、この動作が支持リンク３２に吸収されて、支持フレーム４０、及び挟持搬送ベルト４１の前部の高さに変化は無い。
【００４８】
〔搬送装置及び分離装置による大根の収穫の流れ〕
図１，２に示すように、機体１が前進するのに伴って、右及び左の分離ベルト１８の間に、収穫予定の列の大根Ａが入る。
【００４９】
右及び左の分離ベルト１８において前方に向く係止爪１８ａが、収穫予定の列の大根Ａの葉Ａ１と隣接する列の大根Ａの葉Ａ１との間を上側に移動するように、分離ベルト１８が回転駆動されて、隣接する大根Ａの葉Ａ１が互いに分離される。
【００５０】
次に収穫予定の列の大根Ａが右及び左の分離ベルト１９の間に入るのであり、右及び左の分離ベルト１９において対向する係止爪１９ａが上側に移動するように、分離ベルト１９が回転駆動されて、収穫予定の列の大根Ａにおいて、隣接する大根Ａの葉Ａ１が互いに分離される。
【００５１】
左右の挟持搬送ベルト４１同士の対向部分によって構成される搬送経路ｒ１での作物搬送方向が後方向きとなるように、右及び左の挟持搬送ベルト４１が回転駆動されている。同様に、左右のガイドベルト４２同士の対向部分によって構成される搬送経路ｒ１での作物搬送方向が後方向きとなるように、右及び左のガイドベルト４２が回転駆動されている。同様に、左右の姿勢保持ベルト４４同士の対向部分によって構成される搬送経路ｒ３での作物搬送方向が後方向きとなるように、右及び左の姿勢保持ベルト４４が回転駆動されている。
【００５２】
収穫予定の列の大根Ａの葉Ａ１が、右及び左の挟持搬送ベルト４１の前部から右及び左の挟持搬送ベルト４１の間に入り込み、右及び左の挟持搬送ベルト４１により挟持されながら、大根Ａが圃場から持ち上げられて（引き抜かれて）、後側に搬送される。この場合、サブソイラ１７により圃場の土が崩されるので、大根Ａが圃場から無理なく持ち上げられる（引き抜かれる）。
【００５３】
挟持搬送ベルト４１により後方上方へ搬送される大根Ａは、挟持搬送ベルト４１の前後方向での中間部の下側から後方に向けて設けられている右及び左のガイドベルト４２にも葉Ａ１を挟持され、後方へ向けて搬送される。このとき、ガイドベルト４２は、後方側ほど挟持搬送ベルト４１から下方側へ離れるように位置させてある。
したがって、大根Ａの後方搬送中に、大根Ａの身Ａ２の上端部がガイドベルト４２の下縁に当接した状態となり、ガイドベルト４２に対する大根Ａの相対位置が位置決めされた状態となる。この状態で後方搬送された大根Ａは、ガイドベルト４２の後端部でガイドベルト４２よりも下側に備えたカッター４３により、大根Ａの葉Ａ１と身Ａ２の境界よりも身Ａ２側を切断される。
【００５４】
ガイドベルト４２及びカッター４３よりも下方側に離れた位置に、切断対象の大根Ａの葉Ａ１よりも下方の身Ａ２部分を把持して搬送する姿勢保持ベルト４４が設けられていて、この姿勢保持ベルト４４によって、切断直前、及び切断中の大根Ａの身Ａ２部分が把持されている。これによって、切断直前、及び切断中の大根Ａの身Ａ２部分がカッター４３との当接箇所から逃げないように確実に位置保持され、安定した姿勢で切断され易く、切断途中で大根Ａの身Ａ２部分が落下してしまうような事態が発生することも避け易い。
また、姿勢保持ベルト４４の搬送速度はガイドベルト４２の搬送速度よりも少し速く設定されているので、大根Ａの身Ａ２部分が、カッター４３の回転面にほぼ直交する姿勢で見映え良く切断され、商品価値を向上させ易い。
【００５５】
ガイドベルト４２及び姿勢保持ベルト４４の後端部において、大根Ａが搬送コンベア７上に落ちて、搬送コンベア７により右側に搬送される。作業デッキ９の作業者は、搬送コンベア７により搬送される大根Ａの身Ａ２から、良品の大根Ａの身Ａ２を取り出して貯留部８に整列状態に並べて置いていくのであり、不良の大根Ａの身Ａ２は搬送コンベア７により搬送されて、搬送コンベア７の右端部から圃場に放出される。
【００５６】
この場合、前述の（搬送装置の支持構造）に記載のように、支持フレーム４０（ガイドベルト４２）の後部の高さを変更して、ガイドベルト４２や姿勢保持ベルト４４の後端部と搬送コンベア７の上下間隔を、大根Ａの長さに合わせることにより、ガイドベルト４２や姿勢保持ベルト４４の後端部において、大根Ａが、こぼれ落ちることなく、ガイドベルト４２や姿勢保持ベルト４４から搬送コンベア７に落ちるようにすることができる。
【００５７】
大根Ａの葉Ａ１は、挟持搬送ベルト４１により後側に搬送され、挟持搬送ベルト４１の後端部から圃場に放出される。この場合、大根Ａの葉Ａ１が挟持搬送ベルト４１の後端部の略真下に落下するように、大根Ａの葉Ａ１を案内する案内板２１が備えられている。
【００５８】
〔別実施形態〕
（１）上記実施形態では、抜き取り搬送装置として、一本の無端回動体からなる挟持搬送ベルト４１を示したが、必ずしもこの構造に限られるものではない。
例えば、抜き取り搬送装置として、前端から後端に至る範囲のうちの、前部側と後部側とで別々の搬送ベルトを用いて構成された構造のものであっても良いし、三箇所以上の複数箇所で別々の搬送ベルトを用いて構成された構造のものであっても良い。
その他の構成は、前述した実施形態と同様の構成を採用すればよい。
【００５９】
（２）上記実施形態では、カッター４３が、大根Ａの葉Ａ１と身Ａ２の境界よりも身Ａ２側を切断する構造のものを例示したが、必ずしもこの構造に限定されるものではない。
例えば、カッター４３が、大根Ａの葉Ａ１を切断する構造のものであったり、大根Ａの葉Ａ１と身Ａ２の境界部分を切断する構造のものであってもよい。この場合にも、姿勢保持ベルト４４が大根Ａの身Ａ２を把持した状態で切断することで安定良く大根Ａの切断を行うことができる。
その他の構成は、前述した実施形態と同様の構成を採用すればよい。
【産業上の利用可能性】
【００６０】
本発明は、大根を収穫対象とする大根収穫機に適した構造であるが、大根収穫機のみに限らず、人参や蕪、あるいは玉葱などの各種の根菜を収穫対象とする根菜収穫機に適用できる。
【符号の説明】
【００６１】
４１      抜き取り搬送装置
４２      ガイドベルト
４３      カッター
４４      姿勢保持ベルト
Ａ        大根（作物）
Ａ１      葉（葉部）
Ａ２      身（作物主部）
【図１】
2020141568.tif 000003
【図２】
2020141568.tif 000004
【図３】
2020141568.tif 000005
【図４】
2020141568.tif 000006
【図５】
2020141568.tif 000007
【図６】
2020141568.tif 000008